(57)【要約】【課題】過去に撮影された作品も含め、現在通常使用されているビデオカメラ等により撮影された映像（単眼視映像）作品の立体視化をより容易に可能とする。【解決手段】ビデオカメラ（単眼）によって撮影された映像作品から立体視化を可能とする２つの映像を生成する単眼視映像の立体視化法において、所要の手法（ビデオカメラの水平横移動撮影等）によって撮影された作品を対象として、再生時に手動により立体視化を可能とする信号を発生し該信号に基づき立体視化を可能とする２つの映像を生成し出力映像の切替えを行うとともに、該信号を映像信号に付加して記録し、又は、ビデオカメラに該信号の発生及び映像信号に付加する手段を備え撮影時に該信号を映像信号に付加して記録する。再生時に該信号を抽出して該信号に基づき立体視化を可能とする２つの映像を生成し出力映像の切替えを行う。【選択図】        図２
2009017322.tif 000002
【特許請求の範囲】
【請求項１】
単眼視動画映像による直接出力映像と該出力映像に対して必要とするフレーム数遅延させた映像とによる動画映像の立体視化法において、手動による立体視化を可能とする２つの映像を生成及び出力映像を切替えるための信号の生成手段を備えることにより、単眼視動画映像の立体視化を可能とすることを特徴としたビデオ映像の立体視化法。
【請求項２】
請求項１の立体視化を可能とする２つの映像を生成及び出力映像を切替えるための信号は、立体視化を計ろうとする単眼視動画映像を見て該映像の横移動速度及び方向により手動にて発生した値、又は、ズーム機構を具備したビデオカメラによる映像においては該値にズーム比を乗算して生成した値に基づく信号であることを特徴としたビデオ映像の立体視化法。
【請求項３】
請求項２の立体視化を可能とする２つの映像を生成及び出力映像を切替えるための信号を立体視化を計ろうとする単眼視動画映像の映像信号に付加することにより単眼視動画映像の立体視化を可能とすることを特徴としたビデオ映像の立体視化法。
【請求項４】
単眼視動画映像による直接出力映像と該出力映像に対して必要とするフレーム数遅延させた映像とによる動画映像の立体視化法において、ビデオカメラにビデオカメラと被写体の相対横移動速度及び方向を手動により入力し数値に変換する手段と、ズーム機構を具備したビデオカメラにおいてはズーム機構からのデータに基づくズーム比の値を発生する手段を備えることにより、単眼視動画映像の立体視化を可能とすることを特徴としたビデオ映像の立体視化法。
【請求項５】
ズーム機構を具備したビデオカメラによる立体視化を可能とする２つの映像を生成及び出力映像を切替えるための信号は、請求項４の手段により発生したビデオカメラと被写体の相対横移動速度及び方向を数値化した値とズーム機構からのデータにより発生したズーム比の値を乗算した値に基づく信号であることを特徴としたビデオ映像の立体視化法。
【請求項６】
ビデオカメラによる撮影時に映像信号に付加する信号が、請求項５の立体視化を可能とする２つの映像を生成及び出力映像を切替えるための信号であることを特徴としたビデオ映像の立体視化法。
【請求項７】
単眼視動画映像による直接出力映像と該出力映像に対して必要とするフレーム数遅延させた映像とによる動画映像の立体視化法において、編集機に立体視化を可能とする２つの映像を生成及び出力映像を切替えるための信号を発生する手段を備えることにより、単眼視動画映像の立体視化を可能とすることを特徴としたビデオ映像の立体視化法。
【請求項８】
映像編集時に映像信号に付加する信号が、請求項７の手段による立体視化を可能とする２つの映像を生成及び出力映像を切替えるための信号であることを特徴としたビデオ映像の立体視化法。
【請求項９】
単眼視動画映像による直接出力映像と該出力映像に対して必要とするフレーム数遅延させた映像とによる動画映像の立体視化法において、請求項３、請求項６、及び請求項８による映像信号が記録された記録媒体の再生時に該映像信号から立体視化を可能とする２つの映像を生成及び出力映像を切替えるための信号を抽出する手段を備え該信号に基づき、単眼視動画映像の立体視化を可能とすることを特徴としたビデオ映像の立体視化法。
【請求項１０】
単眼視動画映像による直接出力映像と該出力映像に対して必要とするフレーム数遅延させた映像とによる動画映像の立体視化法において、請求項１、請求項９における立体視化を可能とする２つの映像を生成及び出力映像を切替えるための信号の生成手段及び抽出手段を備え、かつ、該信号の切替え手段を備えることにより、単眼視動画映像の立体視化を可能とすることを特徴としたビデオ映像の立体視化法。
【発明の詳細な説明】
【技術分野】
【０００１】
本発明は、動画映像の立体視化に関し単眼視動画映像から立体視化を可能とする方法に関する提案である。
【背景技術】
【０００２】
現在単眼視映像の立体視化に関して、通常の出力による映像と該映像に対して必要とするフレーム数遅延させた映像とによる単眼視映像からの立体映像化が提案されている。上記提案は、その遅延量の設定及び立体化のための種々の方法が高度で複雑なものとなっている。
【特許文献１】特許第３０８６５８７号
【特許文献２】特開昭５６−１４１６９０
【特許文献３】特開平０１−１１４２９３
【特許文献４】特開平０２−１５１８４９
【特許文献５】特開平０５−０９１５４４
【特許文献６】特許第２８４６８３０号
【特許文献７】特開２００２−２７３９６
【特許文献８】特開平０７−２９８３１１
【発明の開示】
【発明が解決しようとする課題】
【０００３】
本発明は、過去に撮影された映像作品も含め現在通常使用されているビデオカメラ（単眼）等により撮影された動画映像作品のうち所要の手法で撮影された映像作品を対象とし、かつ、立体視化を可能とする２つの映像を生成及び出力映像を切替えるための信号を手動により発生し該信号基づき上記映像作品の立体視化を可能とする。また、該信号を映像信号に付加することによりより容易に上記映像作品の立体視化を可能とする。
【課題を解決するための手段】
【０００４】
所要の手法とは、背景も含め静止しているか形体を変えず移動している被写体又は該被写体が隊形を変えずに移動している一群の被写体を
イ、直線または被写体を中心とした円弧上をビデオカメラを被写体に向けビデオ画面上での移動線をほぼ水平に保ち横移動して撮影する。（風景、建造物、遺跡および発掘現場等）
ロ、回転している被写体に向け回転軸線がビデオ画面のほぼ上下方向になるようにビデオカメラを固定して撮影する。（生け花、彫刻その他造形物等）
ハ、移動中の車窓、機上、船上又はその他移動体上よりビデオカメラを移動方向に対してほぼ真横の方向に向けビデオ画面上での移動線をほぼ水平に保ち撮影する。（風景、建造物、遺跡等）
ニ、被写体が単一又は同じ隊形を保ったグループのみが移動して被写体がほぼ真横方向の時、ビデオカメラを被写体に向けビデオ画面上で被写体の移動線がほぼ水平になるように撮影する。（移動する大きな構造物、編隊飛行等）
ホ、ワイヤーフレーム動画を含め上記所要の手法で撮影された動画映像と画面上同じ動きをする３Ｄの二次元ＣＧ動画の表示においても同じ効果が得られる。（３Ｄ−ＣＡＤによる回転する二次元ＣＧ動画、ＭＲＩ又はＣＴスキャンの画像による回転する二次元ＣＧ動画、分子又はたんぱく質構造の回転する二次元ＣＧ動画等）
上記所要の手法で撮影された動画映像を以後単に所定の映像と云う。
【０００５】
本発明の理解を容易にするために一例として植木の撮影について図１によって説明する。また、説明を容易にするために画像構成をノンインタレース方式とする。
図１は上方から見た撮影の説明図でビデオカメラ２を同じ速度で右（Ａ、Ｃ）又は左（Ｂ）の方向へ被写体（植木）１を中心とした円弧状を水平に横移動しながら１を撮影している状況を示したものである。２及び○印の位置Ａ１〜Ａ９はＡ方向え移動して撮影され１画像が記録された位置である。２をＢの方向え移動しながら撮影すれば、同じようにＢ１〜Ｂ９の位置で撮影された画像が記録される。なを、作図上図１での１と２の距離は異なっているが１との距離はＡとＢを同じとする。１から２までの距離を大きくして（図１に於いてはＡの位置に対して１から２までの距離を２倍とした）同じ速度で移動しながら撮影すればＣ１〜Ｃ１７の各位置での画像が記録され、距離に逆比例して画面上での１は小さくなり１を見た各画像間での視差角も小さくなる。
【０００６】
Ａ１とＡ３またはＢ１とＢ３の間隔を人間の両眼の間隔とほぼ同じとし被写体全体が移動しないものすれば、この撮影によるＡ１で記録された画像を左目でＡ３で記録された画像を右目で、またはＢ１での画像を右目でＢ３での画像を左目で同時に見れば被写体（植木）１を立体感をもって鑑賞することが出来、それぞれ時系列的に２画像はなれたＡ２とＡ４、Ａ３とＡ５・・・Ａ７とＡ９またはＢ２とＢ４、Ｂ３とＢ５・・・Ｂ７とＢ９と順次画像を変えて見ることが出来れば、この撮影により撮影された映像が立体映像として鑑賞可能となる。
【０００７】
なを、前記Ｃ１〜Ｃ１７の位置にて記録された各画像間の被写体１に対する視差角は前記Ａ及びＢにて撮影された各画像間の視差角より小さい。これにより、Ｃ１〜Ｃ１７の位置で撮影された映像の画面上での１の大きさをズームアップしてＡ１〜Ａ９の位置で撮影された１の大きさと同じにした時、上記Ａ及びＢの撮影による立体感と同じ立体感を得るためにはズーム比に合わせ２つの画像の時系列的間隔を大きくする必要がある。すなわち、図１に於いては２つの画像を時系列的に４画像離れたＣ１とＣ５、Ｃ２とＣ６・・・Ｃ１３とＣ１７とする必要がある。また、Ａ及びＢの位置において同じズーム比で移動速度を２倍にした時ビデオカメラ２には、Ａ１、Ａ３、Ａ５、Ａ７又はＢ１、Ｂ３、Ｂ５、Ｂ７の位置にて撮影された画像が順次記録される。この時に撮影された映像を前記と同じ立体感をもった立体映像として見るには２つの画像の時系列的間隔（遅延量とも云う）を１画像とする必要がある。
【０００８】
前述により、Ｆｄ・・・立体視化を可能とする２つの画像の時系列的間隔、Ｉｓ・・・両眼の間隔（ｍｍ）、フレームレート・・・３０ｆｐｓ、Ｖ・・・被写体とカメラの相対横移動速度（Ｋｍ／ｈ）、Ｚｒ・・・ズーム比とすれば
Ｆｄ＝（（Ｉｓ＊３０＊３６００／１００００００）／Ｖ）＊Ｚｒとなり
Ｉｓ＝６０ｍｍとすれば
【数１】
2009017322.tif 000003
となる。
なお、Ｚｒ＝１の時のＦｄの値（数１での６．４８／Ｖ）を以降単にＶｆと略す。
【数２】
2009017322.tif 000004
ちなみに、図１におけるＡ，Ｂ及びＣの撮影時の移動速度はＺｒ＝１とした時３．２４Ｋｍ／ｈとなる。
【０００９】
現在単眼視映像から立体映像を可能とする方法として、入力された映像信号をそのままの映像（直接出力映像）と、該映像信号による画像を循環的に複数（ｎ）の画像メモリに記録して立体映像を可能とする画像を該メモリから読出し該画像による映像（メモリ出力映像）との２つの映像を生成する方式が提案されている。そしてまた、上記提案では該メモリ出力映像（Ｍｍ）のための画像を上記メモリから選択する手段に必要な遅延量を求める種々の方式も提案されている。本発明では所定の映像を対象として上記遅延量及び出力映像切替えの為の信号を手動により発生し該信号に基づきＭｍの選択及び出力映像を切替える方式、該信号を直接出力映像（Ｍｄ）に付加して出力し記録するか映像の編集時に該信号を付加する方式、または、ビデオカメラに該信号の発生及び該信号を映像信号に付加する手段を備え撮影時に該信号を映像信号に付加して記録する方式によって、再生時に映像信号から該信号を抽出して遅延量及び出力映像切替えの為の信号を生成することを提案している。
上記遅延量（画像の時系列的間隔）に出力映像切替えの為の信号を含め以下単にＦｄと略す。
【００１０】
手動によるＦｄの生成は、Ｖｆ発生手段により映像を見ながら回転スイッチを操作し該スイッチの位置に基づきＶｆを発生し該Ｖｆにズーム比（Ｚｒ）を乗じ生成する方式、映像を見ながら回転またはスライド式の可変抵抗器等を操作し電流又は電圧の変化をＡ／Ｄ変換により数値化してＶｆを発生し該ＶｆにＺｒを乗じ生成する方式等により生成する。なお、Ｆｄの最大絶対値（以下単にＤｍと略す）を前記画像メモリーに記録可能な画像数（ｎ）から数値１を減じた値とし０を含み数値１からＤｍの間の整数として、上記Ｖｆ発生手段の回転又はスライド方向等によりＶｆ（Ｆｄ）の先頭に＋又は−を付加する。出力映像切替え手段において該＋又は−に基づき直接出力映像（Ｍｄ）及びメモリ出力映像（Ｍｍ）を左（右）眼用及び右（左）眼用映像として出力する。すなわち、Ｆｄは−Ｄｍ〜−１、０、＋１〜＋Ｄｍの間の整数で、１〜Ｄｍは立体感をもって見る為に必要とする２つの画像の時系列的間隔（遅延量）であり、＋、−及び０（後述）は出力映像の切替え信号である。
【００１１】
なお、撮影に際して常に前記所要の手法による撮影の条件が整うとは限定出来ず前記の手法以外のシーン、また前記の手法により撮影された作品においても映像の移動速度が想定以上に遅い時または早い時（想定以上に遅い時とは静止画像に近いときすなわち通常の立体視化のために必要とするＦｄの値がＤｍよりはるかに大きい時、及び想定以上に早い時とは通常の立体視化のために必要とするＦｄの値が数値１よりはるかに小さい時）等がありこれらのシーンにおいてはＦｄ（又はＶｆ）を０として出力する。Ｆｄが０（Ｆｄ（０））の時はメモリ出力映像（Ｍｍ）を生成せずに出力映像切替え手段において直接出力映像（Ｍｄ）を左眼用及び右眼用映像として出力する。すなわち両眼に同じ映像を出力し二次元映像表示とする、これにより一部所定の映像以外のシーンがある作品においても対処可能となる。
【発明の効果】
【００１２】
所定の映像と限定はするものの手動で立体映像の生成及び出力映像の切替えを可能とし、再生時、編集時又は、撮影時に立体映像の生成及び出力映像を切替えるための信号を付加して記録し、該映像の再生時に該信号を抽出することにより立体映像の生成及び出力映像の切替えを可能とすることで立体映像の撮影、鑑賞及び記録がより容易に可能となる。
【発明を実施するための最良の形態】
【００１３】
本発明は、所定の映像を対象として単眼視動画映像から立体視化を可能とする２つの動画映像を生成し該２つの映像をそれぞれ左眼用又は右眼用及び右眼用又は左眼用に切替え、所定の映像以外の映像が入力された時は両眼に同じ映像を出力するための信号を手動により発生し、かつ該信号を再生時、編集時または撮影時等に映像信号に付加することを提案するものでその実施例を以下概略図面により説明する。
【実施例】
【００１４】
図２はＶｆ発生手段４の回転切替えスイッチによる一例を概念的に示した概略図でこれにより説明する。４ｂは回転軸で上端につまみを有しつまみを回転することにより移動接点４ｃが回動する。固定接点４ｄは切替え信号０を発生するための０接点４ｏを中心として左右に円弧状対象的に前記Ｖｆを発生するに必要な数配設する。再生映像を見ながら該映像の動きに合わせ４ｂを回転することにより４ｃの接点が４ｄの１つと接触して数値発生用電源を数値（Ｖｆ）発生手段４ａに入力し該接点の回路により前記数２のＶｆの値を発生する。なお、４ｏからの回転の方向によりＶｆの先頭に＋又は−を付加し、４ｏの時は０を発生する。
【００１５】
図３はＶｆ発生手段のスライド式可変抵抗器による一例を概念的に示した概略図で、Ｖｆの発生手段は前記と異なるものの発生する数値は概念的に同じであるのでＶｆ発生手段４として説明する。スライドボタン５ｂを操作して可動接点５ｃをスライドさせ抵抗体５ｄ上での５ｃの位置により定められた電流を数値（Ｖｆ）発生手段５ａに入力しＡ／Ｄ変換されてＶｆの値を発生する。前記と同じように５ｂの０接点５ｏからの移動方向によりＶｆの先頭に＋又は−を付加し、５ｏの時は０を発生する。なお、Ｒ１、Ｒ２、Ｒ３は出力電流を調整するための抵抗器で必要とされる時に挿入する。他にＶｆ発生手段には、電卓のようにボタンによる置数式、又は、負荷圧力の変化を電気信号に変える圧電素子等による数値の発生法等が考えられる。
【００１６】
ズーム比（Ｚｒ）は、Ｚｒ発生手段６においてＶｆの発生手段と同じように可変抵抗器等による電流又は電圧の変化をデジタル変換して数値化する方法等で発生する。ＦｄはＦｄ生成手段３において前記Ｖｆに上記Ｚｒを乗じて生成する。Ｆｄの値は０（Ｆｄ（０））を含め数値１からＤｍの間の整数とするがＶｆ発生時に付加された＋−は当然付加されている。３においては０を含みＦｄの絶対値（１〜Ｄｍ）を読出しメモリアドレス生成手段１３に、切替え信号（０、＋、−）を出力映像切替え手段１６に分離して送出する。また、Ｆｄ付加手段１７（後述）へはＦｄのデータ全てを送出する。
【００１７】
Ｆｄの数値の一例として前記ＶｆにＺｒを乗じた値が、０．１〜１．４の間をＦｄの値１として０．１以下をＦｄ（０）とし、Ｄｍの値をＤｍ−０．５〜Ｄｍ＋１０の間としてＤｍ＋１０以上をＦｄ（０）とすることにより、Ｆｄの閾値の前後に余裕域を作り立体効果は実際とは異なるものの立体動画としての鑑賞の範囲を広くする。また、前記Ｖｆ発生手段４において手動にて回転つまみ又はスライドボタン等の操作時に、ズーム比（Ｚｒ）を考慮して操作することによりＺｒ発生手段６を省略することは可能であるが、この場合Ｖｆの値をＦｄの値である０を含め数値±１から±Ｄｍまでの整数を発生する必要がある。なお、この時は４をＦｄ発生手段３ｂとし図２、３におけるＺｒを必要とするＦｄ生成手段３は必要としない。
【００１８】
図４は単眼視動画映像から立体視化を可能とする２つの映像を生成及び出力映像を切替える方法に、他の選択手段に変え前記手動によるＦｄ生成手段３を組み込んだ概略構成図でこれにより概念的に全体を説明する。映像信号入力部７から単眼視動画映像信号を入力し該信号から画像抽出手段８により画像（Ｉｄ）を順次抽出すると同時に同期信号分離手段９により同期信号を抽出し該信号から垂直同期パルスを導出する。該垂直同期パルスによって書込みメモリアドレス生成手段１０において書込みメモリ番号（Ｆｗ）を１つづつカウントアップし該Ｆｗに基づき書込みメモリアドレスを生成する。該書込みメモリアドレスに基づき書込み制御手段１１により複数（ｎ）の画像データが記録可能な画像メモリ１２（ＦＭ０１〜ＦＭｎ）に上記Ｉｄを１画像づつ順次時系列的かつ循環的に記録する。
【００１９】
画像メモリ１２には書込み手段による書込みと同時に読出し可能な読出し手段を書込み手段とは別に備える。読出しメモリアドレスは読出しメモリアドレス生成手段１３に前記書込みメモリ番号（Ｆｗ）を入力し、該Ｆｗから前記Ｆｄ生成手段３（又は３ｂ）により分離して送出された値を減じ読出しメモリ番号（Ｆｒ）として該Ｆｒに基づき生成する。ただし、Ｆｒが０又は負となった時は該Ｆｒに画像メモリに記録可能な画像数（ｎ）を加えＦｒとする。上記読出しメモリアドレスに基づき読出し制御手段１４により前記直接出力画像（Ｉｄ）に対してＦｄ画像前に記録された画像（Ｉｍ）を１２から順次読出し動画生成手段１５により所要の動画映像化処理を行いメモリ出力映像（Ｍｍ）として出力する。また、１３にＦｄ（０）が入力された時は１４に読出しメモリアドレスに変えＩｍ読出し停止及びＭｍ生成停止の信号を送出する。
【００２０】
出力映像切替え手段１６においてＦｄ生成手段３（又は３ｂ）から分離して送出された切替え信号（０、＋、−）に基づき、映像信号入力部７からの直接出力映像（Ｍｄ）と前記メモリ出力映像（Ｍｍ）を左眼（右眼）用及び右眼（左眼）用に切替え、またはＭｄを両眼用に出力する。１６の一例としてその概略をリレー式切替え手段（図９）によって説明する。上記切替え信号に基づきリレー切替え手段１６ｃにおいて切替えリレー（１６ｏ、１６ａ、１６ｂ）の何れか１つにリレー用電源を通じ該リレーの２つの接点を閉じる。図９においては０信号が入力され１６ｏが稼動した状態を示している。これによりＭｄが左眼用（Ｍｌ）と右眼用（Ｍｒ）に出力され、＋信号が入力され１６ａが稼動すればＭｍがＭｌにＭｄがＭｒに、また、−信号が入力され１６ｂが稼動すればＭｍがＭｒにＭｄがＭｌに出力される。
【００２１】
また、直接出力映像（Ｍｄ）を前記出力映像切替え手段１６の他に１６と関係ない位置で記録用に映像信号を送出する。該映像信号の回路にはＦｄ付加手段１７を備え１７によりＦｄ生成手段３（又は３ｂ）からのＦｄをＭｄに付加して記録用映像信号として出力する。
【００２２】
図５はビデオカメラにＦｄ生成手段を備えかつＦｄを映像信号に付加して記録する実施例を概念的に示した概略説明図であるが、Ｚｒ発生手段は前記と異なるものの発生する数値は同じであるのでＺｒ発生手段６として説明する。ビデオカメラのズームレンズ位置検出部ＶＣ１からデジタル変換されたズームレンズ位置データをＺｒ発生手段６に取込み該データに基づき６においてズーム比（Ｚｒ）を発生する。Ｖｆ発生手段４をビデオカメラの機体に装着して該４によりビデオカメラの相対横移動速度及び方向を手動で入力しＶｆを発生する。Ｆｄ生成手段３において上記２つの値（Ｚｒ、Ｖｆ）を乗じＦｄを生成し映像処理部ＶＣ２に送出してＦｄを映像信号に付加する
【００２３】
図６は映像編集機にＦｄ発生手段を備えかつＦｄを映像信号に付加して記録する実施例を概念的に示した概略構成図である。前記Ｆｄ発生手段３ｂによりＦｄ（−Ｄｍ〜−１、０、＋１〜＋Ｄｍ）を発生し、編集制御手段Ｅ０の制御に基づき映像情報付加手段Ｅ３において該Ｆｄを編集用映像分離手段Ｅ２にて分離された映像信号に付加する。Ｆｄを付加された映像信号を順次分離映像記録手段Ｅ４に記録し映像の分離編集作業が終了後、該映像信号を映像結合手段Ｅ５において編集で定められた順序に従い結合し編集映像として出力する。
なお、全てのＦｄ付加手段においてＦｄを映像信号に付加する位置を統一することは無論である。
【００２４】
以下において図４と重複する構成部分の図示及び説明は省略する。
図７はＦｄを映像信号から抽出して該信号に基づき立体視化を可能とする２つの映像を生成及び出力映像を切替える実施例を概念的に示した概略構成図である。前記直接出力映像（Ｍｄ）信号からＦｄ抽出手段１８によりＦｄを抽出し該Ｆｄのうち０、１〜Ｄｍを分離して読出しメモリアドレス生成手段１３に送出する。該値（０、１〜Ｄｍ）に基づき前記画像メモリから画像（Ｉｍ）を読出しメモリ出力映像（Ｍｍ）を生成する。１３において０が入力された時は読出しメモリアドレスに変えＩｍの読出し及びＭｍの生成停止の信号を読出し制御手段に送出する。また、Ｆｄのうち出力映像の切替え信号である０、＋又は−を分離して出力映像切替え手段１６に送出し該信号に基づき１６において映像を切替え左右両眼用の２つの映像を出力する。
【００２５】
図８は図４のＦｄ生成手段３（又は３ｂ）、Ｆｄ付加手段１７及び図７のＦｄ抽出手段１８を併設した実施例を概念的に示した概略構成図である。３（又は３ｂ）、１７及び１８についての説明は前記と重複するので省略するが３（又は３ｂ）及び１８からは同じ信号０を含みＦｄの絶対値（１〜Ｄｍ）及び切替え信号（０、＋、−）が分離して送出される。映像信号入力部からの入力映像信号にＦｄが付加された作品であれば１８からのそれぞれの信号を、Ｆｄが付加されていない作品又は付加されているＦｄを修正する必要のある作品であれば３（又は３ｂ）からのそれぞれの信号を、信号切替え手段１９において切替え、読出しメモリアドレス生成手段１３及び出力映像切替え手段１６へ送出する。
【産業上の利用可能性】
【００２６】
所要の手法で撮影すれば本発明により立体映像としての鑑賞がより容易に可能となり立体映像の記録及び保存がより安易に可能となる。このことにより立体動画映像関係のより一層の発展に寄与する事が期待出来る。
【図面の簡単な説明】
【００２７】
【図１】撮影手法及び本発明の原理説明図
【図２】手動回転スイッチによるＦｄ生成手段説明図
【図３】手動スライド式可変抵抗器によるＦｄ生成手段説明図
【図４】手動によるＦｄ生成手段及びＦｄ付加手段を組込んだ構成説明図
【図５】Ｆｄ生成手段及びＦｄ付加手段を具備したビデオカメラの構成説明図
【図６】ビデオ編集器によるＦｄ発生手段及びＦｄ付加手段の構成説明図
【図７】Ｆｄ抽出手段を組込んだ構成説明図
【図８】図４及び図７の各手段を組込んだ構成説明図
【図９】出力映像切替え手段説明図
【符号の説明】
【００２８】
１  被写体
２  ビデオカメラ
３  Ｆｄ生成手段
３ｂ  Ｆｄ発生手段
４  Ｖｆ発生手段
４ｏ、４ａ〜４ｄ  Ｖｆ発生手段の構成部及び部品
５ｏ、５ａ〜５ｄ、Ｒ１、Ｒ２、Ｒ３  Ｖｆ発生手段の構成部及び部品
６  Ｚｒ発生手段
７  映像信号入力部
８  画像抽出手段
９  同期信号分離手段
１０  書込みメモリアドレス生成手段
１１  書込み制御手段
１２  画像メモリ
１３  読出しメモリアドレス生成手段
１４  読出し制御手段
１５  動画生成手段
１６  出力映像切替え手段
１６ｏ、１６ａ〜１６ｃ  出力映像切替え手段の構成部及び部品
１７  Ｆｄ付加手段
１８  Ｆｄ抽出手段
１９  信号切替え手段
Ｄｍ  Ｆｄの最大絶対値
Ｆｄ  立体視化を可能とする２つの画像（映像）の時系列的間隔及び切替え信号
Ｖｆ  ズーム比＝１の時のＦｄの値
ＶＣ１〜ＶＣ５  ビデオカメラ構成部
Ｅ１〜Ｅ６  映像編集機構成部
Ａ、Ｂ及びＣ  一連の撮影位置およびカメラの移動方向
Ａ１〜Ａ９、Ｂ１〜Ｂ９及びＣ１〜Ｃ１７  動画の１画面が記録された位置
ＦＭ０１〜ＦＭｎ  画像メモリ番号
Ｆｗ、Ｆｒ  書込みメモリ番号、読出しメモリ番号（１〜ｎ）
Ｉｄ、Ｉｍ  直接出力画像、メモリ出力画像
Ｍｄ、Ｍｍ  直接出力映像、メモリ出力映像
Ｍｌ、Ｍｒ  左眼用映像、右眼用映像
Ｍｒｅ  記録用出力映像
ｎ  画像メモリに記録可能な画像数又は１画像が記録可能な画像メモリの全体数
Ｚｒ  ズーム比
【図１】
2009017322.tif 000005
【図２】
2009017322.tif 000006
【図３】
2009017322.tif 000007
【図４】
2009017322.tif 000008
【図５】
2009017322.tif 000009
【図６】
2009017322.tif 000010
【図７】
2009017322.tif 000011
【図８】
2009017322.tif 000012
【図９】
2009017322.tif 000013